(57)【特許請求の範囲】
【請求項１】
長尺方向にネジが形成されたネジ付き部分（１２８）と、該ネジ付き部分（１２８）の一端に固定されたタイロッド係合部分（１３４）と、前記ネジ付き部分（１２８）の他端に固定された下側トグル係合部分（１２６）とを有するトグルボルト本体（１０２）と、
前記トグルボルト本体（１０２）の前記下側トグル係合部分（１２６）に回動可能に軸支されたトグル（１０４）と、
前記トグルボルト本体（１０２）の前記ネジ付き部分（１２８）にネジ係合して固定され、ネジ付きナット部分（１０８）とクリンプ・カラー（１１０）とを有するクリンプ・ナット（１０６）であって、前記ナット部分（１０８）を回転させると前記ネジ付き部分（１２８）と共に下側トグル係合部分（１２６）とトグル（１０４）とが長軸方向に移動するように構成されたクリンプ・ナット（１０６）と、
少なくとも前記トグルボルト本体（１０２）の一部と前記トグル（１０４）とを収納する大きさを有するスリーブ（１１４）とを具備するトグルボルト・アセンブリイであって、
当該スリーブ（１１４）が、さらに、
前記トグル（１０４）が実質的に当該スリーブ（１１４）内に配置される第１の回動位置から、前記トグル（１０４）の面係合部分（１２２）が当該スリーブ（１１４）の外へ伸び出た位置である第２の回動位置まで回動したときに前記トグル（１０４）が前記スリーブ（１１４）の外部に出ることを許すトグル開口（１２０）と、
前記トグル（１０４）の回転を容易にするトグル回転面（１２４）が形成されたスリーブ下側部分とを有してなり、
前記トグル回転面（１２４）は、前記ナット（１０８）の回転に伴う前記ネジ付き部分（１２８）と前記トグル（１０４）の移動に伴って前記トグル（１０４）が前記トグル回転面（１２４）に向けて当接し更に移動するときに前記トグル（１０４）を前記第２の回動位置に向けて回転させるような傾斜を有することを特徴とするトグルボルト・アセンブリイ。
【請求項２】
前記トグルボルト本体（１０２）の前記ネジ付き部分（１２８）に複数の長手方向の溝（１３０）が形成されている請求項１記載のトグルボルト・アセンブリイ。
【請求項３】
更に、前記トグルボルト本体（１０２）の前記下側トグル係合部分（１２６）に設けられた開口（１５０，１５４，１５２）と前記トグル（１０４）に設けられた開口（１６０）とを、前記スリーブ（１１４）の長軸方向に直交する方向に貫通するドエル・ピン（１４２）を有することにより、前記トグル（１０４）が前記トグルボルト本体（１０２）に対して回転可能であることを特徴とする請求項１記載のトグルボルト・アセンブリイ。
【請求項４】
前記スリーブ（１１４）が更に、シュラウド支持構造（１８０；２０２）と当接する上側支持フランジ（１３８）を有している請求項１記載のトグルボルト・アセンブリイ。
【請求項５】
前記スリーブ（１１４）が更に少なくとも１つのシム・スロット（１６４）を有していて、これによりシム工具（１８４）の指状部（１９０）が該シム・スロット（１６４）を通って伸びて前記トグル（１０４）と接触し、更にトグル（１０４）を前記第１の回動位置に戻すことができるようになっている請求項４記載のトグルボルト・アセンブリイ。
【請求項６】
前記スリーブ（１１４）がスリーブ本体（１１６）を有し、前記トグル（１０４）が前記第２の回動位置にあるときは、前記トグル（１０４）の前記面係合部分（１２２）は、前記トグル開口（１２０）から前記スリーブ本体（１１６）の外部に延出してシュラウド支持構造（１８０；２０２）と当接可能となることを特徴とする請求項１記載のトグルボルト・アセンブリイ。
【請求項７】
前記スリーブ（１１４）が更に、前記スリーブ本体（１１６）の一端に固定され、先細のノーズ部分を有するスリーブ・ノーズ（１１８）を具備することを特徴とする請求項６記載のトグルボルト・アセンブリイ。
【請求項８】
前記クリンプ・ナット（１０６）を第１の方向に回転させると、前記トグルボルト本体（１０２）が前記スリーブ（１１４）内を前記スリーブ（１１４）の長軸に沿った一方向に動き、前記クリンプ・ナット（１０６）を第２の方向に回転させると、前記トグルボルト本体（１０２）が前記スリーブ（１１４）内を前記スリーブ（１１４）の長軸に沿った反対方向に動くことを特徴とする請求項１記載のトグルボルト・アセンブリイ。
【請求項９】
前記トグルボルト本体（１０２）は第１の内径を有する円筒形状を有し、前記スリーブ（１１４）は前記トグルボルト本体（１０２）を収納できるように、前記第１の内径よりも大きい第２の内径を有する円筒形状を有し、
前記トグル（１０４；２１０）は、対向する第１組の２辺と対向する第２組の２辺からなる略矩形形状を有し、前記第２の組の２辺のうちの１辺に前記面係合部（１２２）が形成されており、
前記トグル（１０４；２１０）は、前記第１の組の２辺間の距離が前記スリーブ本体（１１６；２１６）の前記第２の内径よりも短く、前記第２の組の前記２辺間の距離が、前記スリーブ本体（１１６；２１６）の前記第２の内径よりも長く、且つ、前記トグル（１０４）が前記第２の回動位置にあるときに前記スリーブ本体（１１６；２１６）外に出た前記面係合部（１２２）が少なくとも前記シュラウド支持構造（１８０；２０２）の下方面に当接するするような大きさを有することを特徴とする請求項６に記載のトグルボルト・アセンブリイ。
【発明の詳細な説明】
【０００１】
【発明の属する技術分野】
本発明は一般に原子炉内で修理を行う為の装置および方法に関するものであり、更に詳しくは、原子炉内のステンレス鋼製シュラウドを修理するための装置および方法に関するものである。
【０００２】
【発明の背景】
公知の沸騰水型原子炉においては、ステンレス製シュラウドが原子炉圧力容器内に配置されていて、炉心たとえば燃料バンドルを実質的に取り囲んでいる。シュラウドは原子炉圧力容器内にシュラウド支持構造によって支持されている。シュラウド支持構造は、シュラウドの基部と原子炉圧力容器の内壁との間でシュラウドの下部の周りに延在する環状じゃま板、支持スカート、支持フランジまたは支持円錐体を含む。シュラウドの外壁と原子炉圧力容器の内壁との間の空間は典型的には環状空間部（ａｎｎｕｌｕｓ）と呼ばれている。
【０００３】
原子炉運転中、水はシュラウドの環状空間部側を第１の方向たとえば下向きに流れ、シュラウドの炉心側を第２の方向たとえば上向きに流れる。従って、シュラウドは原子炉水の流れ間の境界を形成し、時々、流体または流れ仕切りとも呼ばれる。
シュラウドは典型的には多数のステンレス鋼製円筒形コース（ｃｏｕｒｓｅ）から構成される。これらのコースは互いに溶接される。シュラウドに、例えばシュラウドのコース相互間の円周方向の溶接部に亀裂が生じた場合、シュラウド・コースに圧縮荷重を加えることにより、円周方向の溶接部に亀裂があればその亀裂の所でコースが分離するのを防止して、流れ仕切りの完全さを維持することが望ましい。
【０００４】
円筒形シュラウド・コースに圧縮荷重を加えるためにタイロッド・アセンブリイが使用されている。１つの既知のアセンブリイでは、各タイロッドの下端が、原子炉内のシュラウドの下端に接続されているか又は該下端を支えている構造に固定される。各タイロッドの上端は、シュラウドの上端に接続されるか又は該上端を支える。タイロッドはシュラウドに圧縮力を加えて、円周方向の溶接部に亀裂があればその亀裂の所でシュラウドが分離するのを防止する。
【０００５】
シュラウドの下端にタイロッドを固定するための１つの既知の構成では、シュラウド支持体に複数の円形の孔が設けられ、これらの円形の孔の各々にトグルボルトが少なくとも部分的に挿入される。挿入されたトグルが次いで垂直な姿勢から水平な姿勢へ回転され、これによりトグルは上記の孔を横切ってまたがり、シュラウド支持部材の底面に対して接触することが出来る。シュラウド支持部材は、トグルボルトに結合されたタイロッドがシュラウドに圧縮力をかけることが出来るように、シュラウドへの荷重経路を提供する。
【０００６】
この既知のトグルボルト・アセンブリイをシュラウド支持構造中の孔から取り外すのは非常に困難なことがある。例えば、トグルボルト・アセンブリイが外れないようにトグルを垂直姿勢から水平姿勢へ回転させるために重力が用いられている。更に、軸方向荷重を加えられて数燃料サイクルに亘って原子炉環境に露出された後では、トグルボルトはその枢軸上で膠着することがある。従って、重力は、その後の遠隔取外しおよび再取り付け作業の際にトグルを回転させるのに充分でないことがある。
【０００７】
従って、シュラウド支持構造に対するトグルの係合および離脱を容易に且つ素早くできるようにトグルを遠隔で回転させ得るトグルボルト・アセンブリイを提供することが望ましい。また、重力で克服できないようなトグルの摩擦または膠着が機械的に印加した力で克服されるように実用的な制御の下で取り付けおよび取外しが出来るトグルボルト・アセンブリイを提供することも望ましい。
【０００８】
【発明の概要】
本発明では、上記および他の目的を達成するために、シュラウド支持構造にタイロッドに固定する為の方法および装置を提供する。本発明の一態様による装置は、タイロッド係合部分、ネジ付き部分および下側トグル係合部分を持つトグルボルトを含むトグルボルト・アセンブリイである。トグルがトグルボルトの下側トグル係合部分に回転可能に固定される。ネジ付きナット部分およびクリンプ・カラーを含むクリンプ・ナット（ｃｒｉｍｐ  ｎｕｔ）が、トグルボルトのネジ付き部分にネジ止めされる。
【０００９】
トグルボルト・アセンブリイはまたスリーブを含み、スリーブはその中に少なくともトグルボルトの一部分とトグルとを配置できる大きさを有する。スリーブはトグル開口またはスロットを有し、これによりトグルは、トグルが実質的にスリーブ内に配置される第１の位置から、トグルの面係合部分がスリーブの外へ伸び出す第２の位置へ回転できる。スリーブの下側部分は、トグルの回転を容易にするトグル回転面を有する。
【００１０】
動作について説明すると、クリンプ・ナットを第１の方向に回転させることにより、トグルボルトをスリーブ内で降下させる。トグルがスリーブの下側部分に接触したとき、トグルが回転を開始して、トグルの面係合部分をスリーブを越えて展開させる。一旦トグルがこのように回転したとき、クリンプ・ナットを反対方向に回転させることにより、トグルボルトを他の方向たとえば上向きに引っ張る。トグルボルトが上向きに引き上げられると、トグルがシュラウド支持構造と確実に接触する状態に押される。このときクリンプ・ナットのクリンプ部分がクリンプされ、これによりトグルボルト・アセンブリイはシュラウド支持構造に固定係合した状態に留まる。
【００１１】
トグルボルト・アセンブリイを取り外す為には、クリンプの力に打ち勝つのに充分なトルクをクリンプ・ナットに加える。そのときクリンプ・ナットが回転し、これによりトグルボルトがスリーブ内で降下し、トグルがシュラウド支持構造から離脱してスリーブ内へ回転して戻せるようになる。一態様では、トグルをスリーブ内にほぼ配置するように回転させるために、シム工具が使用される。他の１つの態様では、トグルをスリーブ内にほぼ配置するように回転させるために、スリーブのスロットに段付き面が形成されている。トグルがスリーブ内に配置されるようになったとき、トグルボルト・アセンブリイはシュラウド支持構造から容易に取り外すことが出来る。
【００１２】
上記のトグルボルト・アセンブリイはトグルを遠隔で回転させることができ、このためトグルを容易に且つ素早くシュラウド支持構造に係合させ且つシュラウド支持構造から離脱させることが出来る。このようなアセンブリイはまた、重力では克服できないトグルの摩擦または膠着が機械的に印加した力によって克服されるように実用的な制御の下に取り付けおよび取り外すことが出来る。
【００１３】
【発明の実施の形態】
図１は本発明の一実施例によるトグルボルト・アセンブリイ１００の斜視図である。トグルボルト・アセンブリイ１００は、トグル１０４が回転可能に取り付けられているトグルボルト本体１０２を含む。トグルボルト・アセンブリイ１００は更に、ネジ付きナット部分１０８およびクリンプ・カラー１１０を持つクリンプ・ナット１０６を含む。回転防止部材１１２がクリンプ・ナット１０６の直ぐ下側でトグルボルト本体１０２に対してはめられており、これにより、ネジ付きナット部分１０８に上からはめられるナット回転工具、たとえばソケットがネジ付きナット部分１０８を回転させる時にトグルボルト本体１０２を回転しないようにする。
【００１４】
トグルボルト・アセンブリイ１００はまた、スリーブ１１４を有しており、スリーブ１１４はスリーブ本体１１６と該スリーブ本体１１６の一端を閉じるスリーブ・ノーズ１１８を含む。スリーブ本体１１６の寸法は、少なくともトグルボルト本体１０２の一部分とトグル１０４とをその中に配置できる大きさである。スリーブ本体１１６は対向するトグル・スロット又は開口１２０（図１にはこのような開口にの１つのみが示されている）有し、これにより、トグル１０４は、トグル１０４が実質的にスリーブ本体１１６内に配置される第１の位置から、トグル１０４の面係合部分１２２がスリーブ本体１１６の外へ伸び出す第２の位置（図示の状態）へ回転できる。トグル回転面１２４がトグル１０４の回転を容易にする。後で一層詳しく説明するように、トグル１０４はトグルボルト本体１０２の下側トグル係合部分１２６に回転可能に結合されている。
【００１５】
トグルボルト本体１０２はまた、ネジ付きナット部分１０８にネジ係合するネジ付き部分１２８を含む。複数の長手方向の溝１３０が上側ネジ付き部分１２８に形成されていて、トグルボルト本体１０２とクリンプ・カラー１１０との間の固定係合をやりやすくする。また、複数の溝１３２がトグルボルト本体１０２に形成されていて、回転防止部材１１２からの突起（図１に示していない）に係合する。回転防止部材１１２は隣接の原子炉部品に接触して、トグルボルト本体１０２の回転を防止する。溝１３０がまたこのような回転防止部材の突起に係合するようにしてもよい。
【００１６】
トグルボルト本体１０２のタイロッド係合部分１３４がネジ付き部分１２８に固定される。タイロッド係合部分１３４は、タイロッド（図に示していない）をトグルボルト・アセンブリイ１００と係合接続させ易くするタイロッド係合開口１３６を含む。
図２は、図１のトグルボルト・アセンブリイ１００の正面図である。スリーブ本体１１６の上側支持フランジ１３８が図２にはっきりと示されている。上側支持フランジ１３８は、後で詳しく説明するように、シュラウド支持構造の部品表面の頂部に載置されて、トグルボルト・アセンブリイ１００を受けるためにシュラウド支持構造に切られた孔をトグルボルト・アセンブリイ１００が通り抜けないようにする。図２には又、スリーブ本体１１６及びスリーブ・ノーズ１１８に設けた整列した孔を通って延在して、スリーブ・ノーズ１１８をスリーブ本体１１６としっかりと係合状態に維持するピン１４０が示されている。
【００１７】
図３は、図１のトグルボルト・アセンブリイ１００の側面図である。図３に示されるように、ドエル・ピン１４２がトグル１０４と係合状態にプレスばめされていて、トグルボルト本体１０２の下側トグル係合部分１２６に設けた開口を通って延在する。ドエル・ピン１４２したがってトグル１０４がトグルボルト本体１０２に対して回転可能である。ストップ・ピン１４４Ａおよび１４４Ｂがトグルボルト本体１０２からスリーブ本体１１６の壁の内側に設けられた溝（図示していない）の中へ外向きに延在して、スリーブ１１４の開口１２０のトグル１０４との方位方向の整列をやり易くする。更に、ストップ・ピン１４４Ａおよび１４４Ｂはスリーブ１１４をトグルボルト本体１０２上に保持する。ストップ・ピン１４４Ａおよび１４４Ｂは、図１及び図２に示した開口１４５（これらの図では唯一つの開口１４５のみが見える）を通ってトグルボルト本体１０２に挿入される。
【００１８】
図４は、図１のトグルボルト・アセンブリイ１００内のトグルボルト本体１０２の斜視図である。トグルボルト本体１０２の下側トグル係合部分１２６が、ドエル・ピン１４２（図３）を受けるための整列した開口１５２、１５４および１５６（図４では見えない）を持つ３つの突出部１４６、１４８および１５０を含む。図４にはまた、ストップ・ピン１４４Ｂの一端が示されている。下側トグル係合部分１２６に一層多くの突出部または一層少ない突出部をもうけてもよいことは勿論である。
【００１９】
図５は、図４のトグルボルト本体１０２と共に使用されるトグル１０４の斜視図である。トグル１０４はほぼＵ字形であり、ドエル・ピン１４２（図３）を受けるために整列した開口１６０（図５では１つの開口は見えない）を持つ脚部１５６および１５８を含む。開口１６０は開口１５２、１５４および１５６（図４）と整列するように構成されており、ドエル・ピン１４２はこれらの整列した開口に挿入されて、トグル１０４をトグルボルト本体１０２と回転可能に係合した状態に維持する。代わりの形状として、トグル１０４はＥ字形またはＩ字形であってよい。
【００２０】
図６は、スリーブ１１４のスリーブ本体１１６の斜視図である。トグル・スロットまたは開口１２０および１６２がスリーブ本体１１６に形成されている。また、シム・スロット１６４および１６６が支持フランジ１３８を貫通して形成され、このためシム工具の指状部がシム・スロット１６４または１６６のいずれかを通って、後で詳しく説明するようにトグル１０４と接触することが出来る。スリーブ本体１１６に形成された開口１６８がスリーブ・ノーズ１１８（図７）をそれに結合するために利用される。この代わりに、スリーブ・ノーズ１１８はスリーブ本体１１６と一体に形成してもよい。スリーブ本体１１６の内壁には複数の溝１６９（図６には１つの溝のしか示していない）が形成されて、これらの溝はそれぞれのピン１４４ＡおよびＢ（図３）と係合する。
【００２１】
図７は、スリーブ本体１１６（図６）と共に使用されるスリーブ・ノーズ１１８の斜視図である。スリーブ・ノーズ１１８は、フランジ１７２を持つほぼ円錐形の端部１７０を含む。傾斜したトグル回転面１２４で終端する延長部１７４が、端部１７０内に挿入されて該端部に固定されている。
図８は、図１のトグルボルト・アセンブリイ１００に使用されるクリンプ・ナット１０６の斜視図である。前に説明したように、クリンプ・ナット１０６はネジ付きナット部分１０８およびクリンプ・カラー１１０を含む。
【００２２】
図９は、図６に示したスリーブ本体１１６の上面図である。前に説明したように、スリーブ本体１１６はシム・スロット１６４および１６６を含む。シム工具の指状部がスリーブ本体１１６のシム・スロット１６４および１６６の１つを通って伸びて、トグル１０４と接触する。
図１０は、回転防止部材１１２の斜視図である。図１０に示されるように、シム・スロット１７６が回転防止部材１１２を貫通して形成されており、これにより、シム工具の指状部（図１０に示されていない）が回転防止部材１１２を通って伸びてトグル１０４と接触することができる。また、突起１７８が内向きに延在していて、例えば図１に示したトグルボルト本体１０２の溝１３２と係合するように形成されている。
【００２３】
図１１乃至１４は、貫通する開口１８２を持つシュラウド支持構造１８０にトグルボルト・アセンブリイ１００を固定し且つシュラウド支持構造１８０からトグルボルト・アセンブリイ１００を取り外す際のトグルボルト・アセンブリイ１００の種々の状態を例示する。更に具体的に説明すると、先ず図１１を参照すると、図示のようにフランジ１３８がシュラウド支持構造１８０に係合してトグルボルト・アセンブリイ１００を支持するまでトグルボルト・アセンブリイ１００が開口１８２に挿入される。次いで、トグルボルト本体１０２が、ネジ付きナット部分１０８を第１の方向に回転させることによって降下させられる。この初期位置では、トグル１０４は垂直向きであり、スリーブ本体１１６内に完全に配置されている。トグルボルト本体１０２が降下するにつれて、トグル１０４はトグル回転面１２４に接触し、回転し始める。
【００２４】
次に図１２を参照して説明すると、トグル１０４がトグル回転面１２４とほぼ面同士が接触した状態になったとき、ネジ付きナット部分１０８を第２の方向すなわち反対方向に回転させることによってトグルボルト本体１０２が上向きに引き上げられる。そしてトグル１０４がシュラウド支持構造１８０の下面と接触し、トグルボルト本体１０２をネジ付きナット部分１０８の回転によって上向きに駆動し続けると、トグル１０４はシュラウド支持構造１８０に対して締め付けられる。トグル１０４がシュラウド支持構造１８０に対して完全に締め付けられたとき、クリンプ・カラー１１０がトグルボルト本体１０２に対してクリンプされる。このようなクリンプによりネジ付きナット部分１０８を所望の位置に保持しやすい。
【００２５】
トグルボルト・アセンブリイ１００を取り外す場合、図１３を参照して説明すると、ネジ付きナット部分１０８にトルクを印加して、クリンプ・カラー１１０の力に印加トルクが打ち勝つようにする。次いで、クリンプ・ナット１０６をトグルボルト本体１０２から取り外す。トグルボルト本体１０２が降下するにつれて、トグル１０４が初期位置に戻る向きに回転し始める。トグル１０４は最終的にトグル回転面１２４に接触し、次いでトグルボルト本体１０２は上向きに引き上げられる。
【００２６】
図１４に示されるように、シム工具１８４を、そのカラー１８６がトグルボルト本体１０２に挿入されるように位置決めする。シム工具１８４は、例えばポールに結合できる延長部１８８を使用して、トグルボルト本体１０２に向かって降下させる。シム工具１８４はまたシム指状部１９０を含み、シム指状部１９０はシム開口１７６（図９）およびシム開口１６４または１６６を通って伸びてトグル１０４と接触する。シム工具１８４とスリーブ本体１１６との協同作用によりトグルボルト本体１０２がスリーブ本体１１６内で初期位置まで完全に回転する（図１３参照）。トグル１０４が初期位置の状態になったとき、トグルボルト・アセンブリイ１００は開口１８２から引き抜いて取り外すことが出来る。
【００２７】
上述のトグルボルト・アセンブリイ１００は、トグル１０４を遠隔で回転させて、容易に且つ素早くトグル１０４をシュラウド支持構造１８０に係合させ且つそれから離脱させることが出来る。このようなトグルボルト・アセンブリイ１００はまた、重力で克服できないトグル１０４の摩擦または膠着を機械的に印加した力によって克服するように実用的な制御の下で取り付け且つ取り外すことが出来る。
【００２８】
図１５乃至１９は本発明による他の実施例によるトグルボルト・アセンブリイ２００を示す。図１５には、原子炉容器２０４から内向きに延在する円錐形のシュラウド支持構造２０２と関連してトグルボルト・アセンブリイ２００が示されている。タイロッド（図示していない）を支持するための支持台２０６がシュラウド支持構造２０２から延在する。トグルボルト・アセンブリイ２００は、支持台２０６および円錐形のシュラウド支持構造２０２に設けられた整列した開口を通って延在するトグルボルト本体２０８を含む。トグル２１０がドエル・ピン２１２によってトグルボルト本体２０８に接続されている。トグル２１０及びトグル本体２０８はスロット付きのスリーブ２１４を通って延在し、スリーブ２１４は支持台２０６から円錐形のシュラウド支持構造２０２の開口を通って延在する。スリーブ２１４の一端は、湾曲面２１８を持つプラグ２１６によって閉止されている。トグルボルト本体２０８の上側部分２２０はネジが設けられており、このようなネジ付き部分は、クリンプ・カラー２２４を持つクリンプ・ナット２２２と係合する。
【００２９】
トグル２１０を円錐形のシュラウド支持構造２０２に対して締め付けるためには、クリンプ・ナット２２２を例えば反時計回り方向に回転して、図１６に示されるようにトグル２１０が湾曲面２１８と接触するようにスリーブ２８内のトグルボルト本体２０８を動かす。トグルボルト本体２０８を湾曲面２１８へ向かって更に動かすと、トグル２１０がスリーブ２１４内のスロット（図１６に示されていない）を通る。
【００３０】
図１７に示すように、トグル２１０が所定位置まで完全に回転すると、シュラウド支持構造２０２に対して締め付け出来る状態になる。図１８は、トグル２１０が通って伸びることのできるスリーブ２１４内のスロット２２６を示す。トグルが図１７に示されているように回転したとき、ナット２２２を反対向き（例えば時計回り方向）に回転させて、トグル２１０が円錐形のシュラウド支持構造２０２に締め付け接触するようにトグルボルト２０８を上向きに引き上げる。トグル２１０が所望通りに締め付けられたとき、クリンプ・カラー２２４はトグルボルト２０８のネジ付き部分２２０の溝と係合状態にクリンプされる。
【００３１】
トグルボルト・アセンブリイ２００を取り外すためには、ナット２２に充分なトルクを加えて、クリンプ・カラー２２４がトグルボルト２０８のネジ付き部分２２０の溝との係合状態から解放されるようにする。次いで、ナット２２２を回転させて、トグルボルト本体２０８およびトグル２１０を図１７に示されるように位置決めする。図１８に示されるように、スロット２２６の一側面に段部２２８が形成されており、トグルボルト本体２０８を降下させるとき、トグル２１０はトグルの縁が段部２２８の下側でスロット２２６の側面に対して押し付けられる。トグル２１０をスロット２２６の段部２２８に対して押し付けた状態に維持しながらトグルボルト本体２０８を上向きに回転させると、トグル２１０はカム作用によりスリーブ２１４内に戻る用に動き、最終的にはトグル２１０は図１６に示されるように位置決めされる。
【００３２】
上述の操作は、左ネジ付きスタッドを備えた操作ポール工具（図示していない）を用いて行うことが出来る。スタッドはトグルボルト本体２０８の端に設けられた左ネジ孔２３０にねじ込まれる。この工具はトグルボルト本体２０８に反時計回り方向のトルクを加えることにより、トグル２１０をスロット２２６の側面に対して保持して、トグルボルト本体２０８を引き上げるために使用することが出来る。
【００３３】
トグルボルト・アセンブリイ１００の場合と同様に、トグルボルト・アセンブリイ２００は、トグル２１０を遠隔で回転させることにより、トグル２１０を容易に且つ素早くシュラウド支持構造２０４に係合させ且つ離脱させることが出来る。このようなトグルボルト・アセンブリイ２００はまた、重力で克服できないトグル２１０の摩擦または膠着を機械的に印加した力によって克服するように実用的な制御の下で取り付け且つ取り外すことが出来る。
【００３４】
本発明についての以上の説明から、本発明の目的が達成されることが明らかである。本発明の実施例を図示し説明したが、これらは例示の為のものであって、本発明をこれらに限定するものではないことを理解されたい。従って、本発明の範囲は特許請求の範囲の記載によって定まる。
【図面の簡単な説明】
【図１】本発明による一実施例のトグルボルト・アセンブリイの斜視図である。
【図２】図１のトグルボルト・アセンブリイの正面図である。
【図３】図１のトグルボルト・アセンブリイの側面図である。
【図４】図１のトグルボルト・アセンブリイに用いられるトグルボルト本体の斜視図である。
【図５】図４のトグルボルト本体と共に用いられるトグルの斜視図である。
【図６】図１のトグルボルト・アセンブリイに用いられるスリーブの斜視図である。
【図７】図６のスリーブと共に用いられるスリーブ・ノーズの斜視図である。
【図８】図１のトグルボルト本体に用いられるクリンプ・ナットの斜視図である。
【図９】図６のスリーブの上面図である。
【図１０】図１、２および３に示されている回転防止部材の斜視図である。
【図１１】トグルボルト・アセンブリイをシュラウド支持構造に固定する際のトグルボルト・アセンブリイの一状態を示す簡略正面図である。
【図１２】トグルボルト・アセンブリイをシュラウド支持構造に固定する際のトグルボルト・アセンブリイの別の一状態を示す簡略正面図である。
【図１３】トグルボルト・アセンブリイをシュラウド支持構造から取り外す際のトグルボルト・アセンブリイの一状態を示す簡略正面図である。
【図１４】トグルボルト・アセンブリイをシュラウド支持構造から取り外す際のトグルボルト・アセンブリイの別の一状態を示す簡略斜視図である。
【図１５】本発明による他の実施例のトグルボルト・アセンブリイの部分断面正面図である。
【図１６】図１５のトグルボルト・アセンブリイの一状態を示す部分断面正面図である。
【図１７】図１５のトグルボルト・アセンブリイの一状態を示す部分断面正面図である。
【図１８】図１５のトグルボルト・アセンブリイの一部分の側面図である。
【図１９】図１５のトグルボルト・アセンブリイの一状態を示す部分断面正面図である。
【符号の説明】
１００    トグルボルト・アセンブリイ
１０２    トグルボルト本体
１０４    トグル
１０６    クリンプ・ナット
１０８    ネジ付きナット部分
１１０    クリンプ・カラー
１１２    回転防止部材
１１４    スリーブ
１１６    スリーブ本体
１１８    スリーブ・ノーズ
１２２    面係合部分
１２４    トグル回転面
１２６    下側トグル係合部分
１２８    ネジ付き部分
１３０    溝
１３４    タイロッド係合部分
１３６    タイロッド係合開口
１３８    上側支持フランジ
１４０    ピン
１４２    ドエルピン
１６４    シム・スロット
１８４    シム工具
２００    トグルボルト・アセンブリイ
【図１】
0004077897.tif 000002
【図２】
0004077897.tif 000003
【図３】
0004077897.tif 000004
【図４】
0004077897.tif 000005
【図５】
0004077897.tif 000006
【図６】
0004077897.tif 000007
【図７】
0004077897.tif 000008
【図８】
0004077897.tif 000009
【図９】
0004077897.tif 000010
【図１０】
0004077897.tif 000011
【図１１】
0004077897.tif 000012
【図１２】
0004077897.tif 000013
【図１３】
0004077897.tif 000014
【図１４】
0004077897.tif 000015
【図１５】
0004077897.tif 000016
【図１６】
0004077897.tif 000017
【図１７】
0004077897.tif 000018
【図１８】
0004077897.tif 000019
【図１９】
0004077897.tif 000020